(57)【要約】      （修正有）【課題】扇部と当該扇部を支持する柄部とを備えている団扇において、人間の手に持って風を送る手段として利用される以外に、広告・宣伝用として、あるいは、景品や販売促進用グッズとして配布等される際に有用であり、更に、植物の種子を栽培するのに好適に使用できる用途を有し、使用価値、利用価値の高められた団扇を提供する。【解決手段】扇部と当該扇部を支持する柄部とからなる団扇において、前記扇部が板状体であって、当該板状体の扇部に切り取り線部４を介して切り離し可能な切除片部５を設け、水溶性の材料からなるシート６、あるいは生分解性の材料からなるシートにより、当該切除片部に植物の種子７を取り付けた団扇。【選択図】図１
0003171495.tif 000002
【実用新案登録請求の範囲】
【請求項１】
扇部と当該扇部を支持する柄部とからなる団扇において、前記扇部が板状体であって、当該板状体の扇部に切り取り線部を介して切り離し可能な切除片部を設け、水溶性の材料からなるシート、あるいは生分解性の材料からなるシートにより、当該切除片部に植物の種子を取り付けたことを特徴とする団扇。
【請求項２】
扇部と当該扇部を支持する柄部とからなる団扇において、前記扇部が板状体であって、当該板状体の扇部に切り取り線部を介して切り離し可能な切除片部を設けると共に、当該切除片部に当該切除片部の表面と裏面とを貫通する透孔部、又は、溝を形成し、水溶性の材料からなるシート、あるいは生分解性の材料からなるシートにより、前記透孔部、又は、溝を前記切除片部の表面側と裏面側から覆い、前記透孔部内、又は、前記溝内に植物の種子を封入したことを特徴とする団扇。
【請求項３】
扇部と当該扇部を支持する柄部とからなる団扇において、前記扇部が板状体であって、当該板状体の扇部に切り取り線部を介して切り離し可能な切除片部を設け、当該切除片部の表面あるいは裏面、若しくは表面及び裏面に、水溶性の材料からなるシート、あるいは生分解性の材料からなるシートを貼り付けることにより、当該水溶性の材料からなるシート、あるいは生分解性の材料からなるシートと、前記切除片部の表面あるいは裏面、若しくは表面及び裏面との間に植物の種子を封入したことを特徴とする団扇。
【請求項４】
前記柄部は板状体であって、前記板状体の扇部及び当該板状体の柄部が紙製であることを特徴とする請求項１乃至３のいずれか一項記載の団扇。
【考案の詳細な説明】
【技術分野】
【０００１】
この考案は、人間の手に持って風を送る手段として利用される団扇に関し、特に、扇部と当該扇部を支持する柄部とからなり、風を送る手段として利用する以外の用途をも備えている団扇に関する。
【背景技術】
【０００２】
人間の手に持って風を送る手段として利用される団扇に関しては、従来から人間の手に持って風を送る手段として利用する以外の用途を具備させ、利用価値、使用価値を高めるべく種々の提案がされている。
【０００３】
例えば、スポーツその他の競技の応援用あるいは各種催しごとの案内状として宣伝効果が高く、かつ、定型外葉書として直ちに郵送できる簡易団扇に関する提案がある（例えば、特許文献１）。
【０００４】
また、複数本の骨材を所要の間隔をあけて配した扇体と、この扇体の外周の一部から突出した取っ手と、前記扇体の表裏面に貼り付けられるシートとを備え、扇体、取っ手及びシートが生分解性材料からなり、前記扇体の骨材の間に草花の種子を保持してなる団扇が提案されている（例えば、特許文献２）。
【０００５】
更に、本願出願人は、板状体からなる簡易型団扇の一部を活用して植物の種子を栽培できる団扇を提案している（特許文献３）。
【先行技術文献】
【特許文献】
【０００６】
【特許文献１】実開平７−３６７２５号公報
【特許文献２】実用新案登録第３１２３７７９号公報
【特許文献３】実用新案登録第３１４９２３５号公報
【考案の概要】
【考案が解決しようとする課題】
【０００７】
前述した特許文献３記載の考案は、広告・宣伝用や、景品、販売促進用グッズとして配布等される簡易団扇である板状体からなる団扇において、人間の手に持って風を送る手段として利用される以外の用途、特に、植物の種子を栽培するのに好適に使用できる用途を有し、使用価値、利用価値の高められた団扇を提案するものとして好評を博していた。
【０００８】
そこで、この考案は、環境問題についての社会での認識の高まりを踏まえて、扇部と当該扇部を支持する柄部とを備えている団扇においても、人間の手に持って風を送る手段として利用される以外に、広告・宣伝用として、あるいは、景品や販売促進用グッズとして配布等される際に有用であり、更に、植物の種子を栽培するのに好適に使用できる用途を有し、使用価値、利用価値の高められた団扇を提案することを目的にしている。
【課題を解決するための手段】
【０００９】
請求項１記載の考案は、
扇部と当該扇部を支持する柄部とからなる団扇において、前記扇部が板状体であって、当該板状体の扇部に切り取り線部を介して切り離し可能な切除片部を設け、水溶性の材料からなるシート、あるいは生分解性の材料からなるシートにより、当該切除片部に植物の種子を取り付けたことを特徴とする団扇
である。
【００１０】
請求項２記載の考案は、
扇部と当該扇部を支持する柄部とからなる団扇において、前記扇部が板状体であって、当該板状体の扇部に切り取り線部を介して切り離し可能な切除片部を設けると共に、当該切除片部に当該切除片部の表面と裏面とを貫通する透孔部、又は、溝を形成し、水溶性の材料からなるシート、あるいは生分解性の材料からなるシートにより、前記透孔部、又は、溝を前記切除片部の表面側と裏面側から覆い、前記透孔部内、又は、前記溝内に植物の種子を封入したことを特徴とする団扇
である。
【００１１】
請求項３記載の考案は、
扇部と当該扇部を支持する柄部とからなる団扇において、前記扇部が板状体であって、当該板状体の扇部に切り取り線部を介して切り離し可能な切除片部を設け、当該切除片部の表面あるいは裏面、若しくは表面及び裏面に、水溶性の材料からなるシート、あるいは生分解性の材料からなるシートを貼り付けることにより、当該水溶性の材料からなるシート、あるいは生分解性の材料からなるシートと、前記切除片部の表面あるいは裏面、若しくは表面及び裏面との間に植物の種子を封入したことを特徴とする団扇
である。
【００１２】
請求項４記載の考案は、
前記柄部は板状体であって、前記板状体の扇部及び当該板状体の柄部が紙製であることを特徴とする請求項１乃至３のいずれか一項記載の団扇
である。
【考案の効果】
【００１３】
この考案によれば、扇部と当該扇部を支持する柄部とを備えている団扇において、人間の手に持って風を送る手段として利用される以外に、広告・宣伝用として、あるいは、景品や販売促進用グッズとして配布等される際に有用であり、更に、植物の種子を栽培するのに好適に使用できる用途を有し、使用価値、利用価値の高められた団扇を提供することができる。
【図面の簡単な説明】
【００１４】
【図１】この考案の実施例を表す図であって、（ａ）は表面を表す図、（ｂ）は裏面を表す図。
【図２】この考案の他の実施例を表す図であって、（ａ）は裏面を表す図、（ｂ）は表面を表す図。
【図３】この考案の団扇において、植物の種子が封入されている状態を説明する一部を省略した断面図であって、（ａ）は切除片部の表面あるいは裏面にシートによって植物の種子が封入される実施形態、（ｂ）は切除片部の表面と裏面とを貫通する透孔部にシートによって植物の種子が封入される実施形態を表す図。
【図４】図２図示の団扇から切除片部を切除し、地中に差し込んだ状態を説明する一部を省略した説明図。
【考案を実施するための最良の形態】
【００１５】
以下、添付図面を参照し、この考案の好適な実施の形態に関していくつかの好ましい実施例を説明する。なお、以下の説明及び添付図面において共通している構成部位には共通した符号を用いて説明を行っている。
【００１６】
この考案の団扇１は、図１、図２図示のように、扇部２と、扇部２を支持する柄部３とから構成されていて、扇部２は板状体になっている。
【００１７】
そこで、板状体の扇部２の表面２ａ、裏面２ｂにそれぞれ広告や宣伝などを印刷などによって描き表わし、団扇１を広告、宣伝に使用したり、景品や販売促進用グッズとして配布等することができる。
【００１８】
また、図示のように、柄部３も板状体とし、板状体の扇部２及び板状体の柄部３のいずれをも紙製にすることができる。
【００１９】
このようにすれば、製造、廃棄などの工程において環境への負荷が少ない、環境に配慮した団扇にすることができるとともに、前述したように、板状体の扇部２の表面２ａ、裏面２ｂに広告や宣伝などを印刷などによって描き表わすことが容易になり、団扇１を広告、宣伝に使用したり、景品や販売促進用グッズとして配布等する上で有利になる。
【００２０】
図１、図２図示のように、扇部２には、切り取り線部４、１４を介して切り離し可能な切除片部５、１５が形成されている。切り取り線部４、１４は、例えば、ミシン目にすることができる。
【００２１】
切除片部５、１５の表面、あるいは裏面、若しくは表面と裏面とには、図１、図２に符号６で示す水溶性の材料からなるシート、あるいは生分解性の材料からなるシートにより、植物の種子７を取り付け、あるいは封入している。図１、図２図示の実施形態では、いずれも表面側に、シート６によって植物の種子７を封入している。
【００２２】
植物の種子７としては、家庭の花壇、プランターなどで栽培できる花、野菜、ハーブの種子などを用いることができる。
【００２３】
そこで、ミシン目などからなる切り取り線部４、１４を介して切除片部５、１５を団扇１の扇部２から切り離し、図４図示のように家庭などにおける花壇、プランターなどの土１０の中に埋設し、種子７の発芽に必要な水などを与えると、図面に符号６で示す水溶性の材料からなるシート、あるいは生分解性の材料からなるシートが溶解、あるいは分解するとともに、種子７が発芽し、植物を育てることができる。
【００２４】
ミシン目などからなる切り取り線部４、１４によって区画される切除片部５、１５の形状、デザインは種々に定めることができる。例えば、図１図示のように種子７によって咲く花の形状にしたり、図２図示のように、種子７と共に土１０の中に埋設される支柱板部１５ｂと、地表１０ａより上に出て、種子７が埋設されている場所を示すと共に、種子７の種類、咲く花の説明などを印刷・表示する表示板部１５ａとを備えている形状にすることができる。
【００２５】
また、扇部２の表面２ａ、裏面２ｂに描き表わす広告・宣伝などの内容・デザインに合わせて、切除片部５、１５の形状、デザインを選定することにより、団扇１を広告・宣伝用などとして配布する際に、広告・宣伝の効果を高めることができる。
【００２６】
板状体の扇部２を紙製にしておけば、ミシン目などからなる切り取り線部４、１４によって形成された切除片部５、１５も紙製となる。そこで、図４図示のように、種子７と共に土１０内に差し込んでおいても環境に負荷を与えないものとすることができる。
【００２７】
添付図面において符号６で示す水溶性の材料からなるシート（例えば、紙製のシート）あるいは生分解性の材料からなるシートにより、切除片部５、１５に植物の種子７を取り付け、封入する形態としては、種々のものを採用できる。
【００２８】
図１（ａ）、図２（ａ）、図３（ａ）図示の実施形態は、切除片部５の表面（図３（ａ）中、上側）、あるいは裏面（図３（ａ）中の下側）（不図示）、若しくは表面及び裏面（不図示）に、符号６で示す水溶性の材料からなるシート（紙製のシート）、あるいは生分解性の材料からなるシートを貼り付け、当該シートと、切除片部５の表面あるいは裏面、若しくは表面及び裏面との間に植物の種子７を封入するものである。図３（ａ）図示の実施形態では、切除片部５の表面（扇部２の表面２ａ側）のみに植物の種子７が取り付けられている。
【００２９】
これは、符号６で示す水溶性の材料からなるシート、あるいは生分解性の材料からなるシートを切除片部５、１５の表面に貼り付けることにより、水溶性の材料からなるシート、あるいは生分解性の材料からなるシートと、切除片部５、１５の表面との間に植物の種子７を封入して、植物の種子７を、切除片部５、１５の表面（扇部２の表面２ａ側）に取り付けるものである。同じようにして、切除片部５、１５の裏面のみ、あるいは、切除片部５、１５の表面と裏面とに植物の種子７を取り付けることができる。
【００３０】
図３（ｂ）は、切除片部５に切除片部５の表面（図３（ｂ）中、上側面）と裏面（図３（ｂ）中、下側面）とを貫通する透孔部８を形成し、符号１６ａ、１６ｂで示す水溶性の材料からなるシート、あるいは生分解性の材料からなるシートにより透孔部８を切除片部５の表面側と裏面側から覆い、透孔部８内に種子７を封入することにより、切除片部５に植物の種子７を取り付けたものである。なお、符号８で示されている個所を透孔部でなく、溝としても同様にすることができる。
【００３１】
いずれの実施形態であっても、ミシン目などからなる切り取り線部４、１４を介して切除片部５、１５を扇部２から切り離し、図４図示のように家庭などにおける花壇、プランターなどの土１０の中に埋設し、種子７の発芽に必要な水などを与えると、図面に符号６で示す水溶性の材料からなるシート、あるいは生分解性の材料からなるシートが溶解、あるいは分解するとともに、種子７が発芽し、植物を育てることができる。
【００３２】
この考案の団扇１によれば、植物の種子７が、水溶性の材料からなるシート６、あるいは生分解性の材料からなるシート６によって、取り付け、あるいは封入されている切除片部５、１５が扇部２に含まれているので、例えば、花火大会などのイベントの会場で団扇１を広告・宣伝用に配布したときに、種子７を植えて花を育てようと、配布された団扇１を家庭にまで持ち帰るインセンティブを高めることができる。
【００３３】
そこで、団扇１を広告、宣伝に使用したり、景品や販売促進用グッズとして団扇１を配布等する効果を高めることができる。
【００３４】
以上、添付図面を参照して本考案の好ましい実施形態を説明したが、本考案はかかる実施形態に限定されることなく、実用新案登録請求の範囲の記載から把握される技術的範囲において種々の形態に変更可能である。
【符号の説明】
【００３５】
１  団扇
２  扇部
２ａ  扇部の表面
２ｂ  扇部の裏面
３  柄部
４、１４  切り取り線部
５、１５  切除片部
６  水溶性の材料からなるシート（生分解性の材料からなるシート）
７  植物の種子
１０  土
１０ａ  地表
【図１】
0003171495.tif 000003
【図２】
0003171495.tif 000004
【図３】
0003171495.tif 000005
【図４】
0003171495.tif 000006